(57)【特許請求の範囲】
【請求項１】
記録媒体に対して画像信号を記録再生する記録再生装置であって、
上記記録媒体に対する上記画像信号の記録動作に伴って上記記録媒体上の記録位置を示す位置情報を発生する位置情報発生手段と、
上記画像信号と上記位置情報発生手段により発生された位置情報とを上記記録媒体に対して記録再生する記録再生手段と、
画像信号を上記記録媒体に記録する記録モードと上記記録媒体から上記画像信号を再生する再生モードとパワーをＯＦＦするオフモードを切り替えるためのモード切り替えスイッチと、
上記記録モードにおける上記記録再生手段による記録動作の終了時に上記位置情報発生手段で発生された位置情報を第１の位置情報として保持すると共に、上記再生モードにおける上記記録再生手段による再生動作の終了時に再生された上記位置情報を第２の位置情報として保持する保持手段と、
上記切り替えスイッチによる上記記録モードへの切り替えに応じて上記記録媒体における上記第１の位置情報の示す位置を検索して記録スタンバイ状態とすると共に、上記切り替えスイッチによる上記再生モードへの切り替えに応じて上記記録媒体における上記第２の位置情報の示す位置を検索して再生停止状態とする制御手段とを備えた記録再生装置。
【発明の詳細な説明】
【０００１】
【発明の属する技術分野】
本発明はテープ状等の記録媒体に信号を記録・再生する記録再生装置に関し、特に自動頭出し機能に関するものである。
【０００２】
【従来の技術】
従来、カメラ一体型ＶＴＲの使い方では、テープの全長（始端から終端まで）にわたって再生動作を介さずに記録を続け、１本のテープの記録を完全に終了してから、巻き戻し、再生を行うことは比較的まれであり、通常はテープ途中まで記録した後、巻き戻してからその記録エリアを再生して再度前回の記録終了ポイント（テープ位置）まで巻き進め、その後、つなぎ記録を行い、また、その後、前回の記録終了ポイントまで巻き戻した後、再生することをくり返すのが一般的である。
【０００３】
【発明が解決しようとする課題】
このような使い方の場合、各記録、再生の開始位置は、ユーザ自身がＶＴＲを操作し、再生画像により各テープ位置を確認して、目的の動作（記録又は再生）を行うようにしている。このような検索作業は、目的の動作を速やかに行う上で画像モニタの接続やＶＴＲの操作が必要となり、極めて不便な作業であり、また、シャッタチャンスを逃がしてしまうことがあった。また、この検索作業に誤りがあった場合は、重要な記録済み画像を消去してしまうという問題も生じていた。これに対し、テープの無記録部と記録終了部との境界ポイントを自動的に検索するためのいわゆる「ブランクサーチ」なる機能も実施されているが、未再生エリアの検索や重ね記録等には対応できなかった。
【０００４】
本発明は上記の問題を解決し、記録、再生開始時における記録媒体の頭出しを簡単に行うことのできる記録再生装置を得ることを目的とする。
【０００５】
【課題を解決するための手段】
本発明の記録再生装置は、記録媒体に対して画像信号を記録再生する記録再生装置であって、上記記録媒体に対する上記画像信号の記録動作に伴って上記記録媒体上の記録位置を示す位置情報を発生する位置情報発生手段と、上記画像信号と上記位置情報発生手段により発生された位置情報とを上記記録媒体に対して記録再生する記録再生手段と、画像信号を上記記録媒体に記録する記録モードと上記記録媒体から上記画像信号を再生する再生モードとパワーをＯＦＦするオフモードを切り替えるためのモード切り替えスイッチと、上記記録モードにおける上記記録再生手段による記録動作の終了時に上記位置情報発生手段で発生された位置情報を第１の位置情報として保持すると共に、上記再生モードにおける上記記録再生手段による再生動作の終了時に再生された上記位置情報を第２の位置情報として保持する保持手段と、上記切り替えスイッチによる上記記録モードへの切り替えに応じて上記記録媒体における上記第１の位置情報の示す位置を検索して記録スタンバイ状態とすると共に、上記切り替えスイッチによる上記再生モードへの切り替えに応じて上記記録媒体における上記第２の位置情報の示す位置を検索して再生停止状態とする制御手段とを備える。
【０００６】
【作用】
本発明によれば、次の記録を行うための準備操作に応じて前回の記録動作が終了した上記第１の位置情報を用いることにより、記録媒体上の記録開始位置の頭出しが容易に行われる。また次の再生を行うための準備操作に応じて上記第２の位置情報を用いることにより、記録媒体上の再生開始位置の頭出しが容易に行われる。
【０００７】
【発明の実施の形態】
図１は、本発明によるカメラ一体型ＶＴＲの実施の形態を示すブロック図である。
図１において、１はカメラ撮像部、２はカメラ信号処理部、３はライン映像入力部、４はライン映像出力部、５は映像入力を選択するスイッチ、６はレコーダ処理部、７はヘッド回転に応じて動作するスイッチ、８は記録再生回転ヘッド、９は記録媒体であるテープ、１０はＭＩＣデータ処理部、１１はテープ９を収納したカセット内に設けたメモリであるＭＩＣ（メモリ・イン・カセット）、１２はメモリを含むシステムコントローラ、１３はヘッド８の回転に応じてテープ始端から終端に向けて連続的に増加するトラック番号の生成と再生されたトラック番号と記憶されたトラック番号との比較を行うトラック番号生成比較部、１４はテープ走行系メカニズムの動作を制御するサーボ部、１５はカメラモード時の操作スイッチ、１６はモード選択スイッチ、１７はＶＴＲモード時の操作スイッチである。
【０００８】
図２はカセット２０内にテープ９とメモリとしてのＭＩＣ１１とが内蔵された状態を示す図である。
テープ９は回転ヘッド８により記録再生され、ＭＩＣ１１はＭＩＣ用の端子１８を介して書き込み、読み出しが行われる。ＭＩＣ１１のデータはパワーＯＮ／ＯＦＦ又はテープのローディイグ／エジェクト時に読み書きされる。
【０００９】
図３はモードスイッチ１６を示したものである。このモードスイッチ１６によってカメラ一体型ＶＴＲのカメラモード、パワーＯＮ／ＯＦＦモード、ＶＴＲモードの３つの主な動作モードが選択される。その一つのカメラモードでは、図３（ｂ）に示すカメラ操作スイッチ１５が使用され、そのトリガボタン１５Ａの入力でスタンバイとＲＥＣ（記録）の２動作が実行される。また、スタンバイレバー１５Ｂによって記録準備状態になる。
【００１０】
またＶＴＲモードは、ライン映像入力部３からの入力による記録動作と再生動作とを行うモードであり、通常はカメラ撮りしたテープ９の再生動作と検索のための操作とが実行される。図３（ｃ）はＶＴＲモードで使用される各操作キーであり、巻戻し（ｆｒ）、再生（ｐｌａｙ）、速送り（ｆｆ）、停止（ｓｔｏｐ）、一時停止（ｐａｕｓｅ）、記録（ｒｅｃ）等が示されている。また、パワーＯＮ／ＯＦＦモードは、装置の電源のＯＮ／ＯＦＦを行うモードである。
【００１１】
次に動作について説明する。
まず頭出し動作に必要な記録終了点のトラック番号に相当する情報と、再生終了時のトラック番号に相当する情報とを得るための動作について説明する。
カメラモードでの記録動作時には、撮像部１で撮影した画像情報はカメラ信号処理部２で増幅及び処理された後、同期信号が付加されてＴＶ信号に生成される。このＴＶ信号はスイッチ５を経てレコーダ処理部６で画像信号として記録するための処理が行われた後、画像データとしてスイッチ７へ導びかれる。
【００１２】
一方、回転ヘッド８の回転に応じてサーボ部１４から得られる位相検出パルス（ＰＧ）に基づいてトラック番号生成比較部１３はテープ９上でのトラック形成に応じて増加するトラック番号値を発生し、これを副情報データとして所定の付加データを加えた後、スイッチ７へ導びかれる。スイッチ７ではヘッド８の回転に応じて画像データと副情報データとを交互に選択してトラック単位の画像と副情報データとを生成し、テープ９に記録する。
【００１３】
この記録動作の開始点では、つなぎ記録ポイントのトラック番号を連続させるための動作として、上記ポイントの直前のトラックに書かれているトラック番号を読み出し、これによって記録開始点のトラック番号を生成すると共に、トラッキング動作も行う。そして、記録開始点のトラック番号と記録終了点のトラック番号とは一旦システムコントローラ１２のメモリに保持される。
その後、パワーＯＦＦモードやカセットエジェクト等の動作が行われる時には、次回のカセットローディングのために記録終了トラック番号は、ＭＩＣデータ処理部１０で所定の形式に処理されて、目的別にＭＩＣ１１に書き込まれる。
ここで、ＭＩＣ１１に書き込まれる最終記録トラック番号をＲＥＣ−ＥＮＤとする。また、このＲＥＣ−ＥＮＤに相当するトラック番号は装置本体のシステムコントローラ１２のメモリにも同じＲＥＣ−ＥＮＤとして保持される。
【００１４】
次に再生時の動作を説明する。
テープ９からヘッド８によって読み出された画像データと副情報であるトラック番号とはスイッチ７によって分離され、画像データはレコーダ処理部６で復調された後、ライン映像出力部４からモニタ等の外部機器へ導びかれる。
【００１５】
一方、再生されたトラック番号はトラック番号生成／比較部１３へと導びかれ、システムコントローラ１２の制御により各モード移行に伴って目標となるトラックのトラック番号が保持される。そして再生モード終了時には、その最終トラックのトラック番号がＰＢ−ＥＮＤとしてシステムコントローラ１２のメモリに保持される。上記の再生モードは図３のモードスイッチ１６がＶＴＲモードにセットされた状態において、ＶＴＲ操作スイッチ１７によって操作される状態である。
【００１６】
以上の動作によってカメラモードにおけるＲＥＣ−ＥＮＤのトラック番号とＶＴＲモードにおけるＰＢ−ＥＮＤのトラック番号とがシステムコントローラ１２のメモリに保持されたことになる。
【００１７】
次に、上記保持された各トラック番号を用いて頭出しを行う動作について説明する。
図４は、本発明によって、実現されるカメラモードとＶＴＲモードとの選択に応じて自動的に行われる頭出し動作のシーケンスを示す。ここではカメラモードが選択されたときは頭出し位置ＴＮ−１で記録スタンバイになり、またＶＴＲモードが選択されると頭出し位置ＴＮ−２で停止状態となるようにしている。
図４ではテープ位置（横軸）と時間（縦軸）との変化を関連付けて示している。
またこの図４は最も基本となる動作を表わしたものである。同図の現在位置ＴＮ−３は、記録後、再生し、その再生済みエリアの途中まで戻した位置にテープがある場合を示している。
【００１８】
上記現在位置ＴＮ−３で、モードスイッチ１６がＯＦＦ→ＣＡＭＥＲＡに選択されたとする。このカメラモードでは記録を目的にした頭出しが有効なのでトラック番号生成比較部１３においてＲＥＣ−ＥＮＤとして保持しているトラック番号と現在位置のトラック番号とを比較してテープ位置をＦＦで移動するための動作を実行する。その後、目的のＲＥＣ−ＥＮＤのトラック番号付近で良好なつなぎ記録を行うためにスタンバイ状態に移行する（ＴＮ−１位置）。
【００１９】
また、上記現在位置ＴＮ−３で、スイッチ１６によりＯＦＦ→ＶＴＲにモードが選択された場合は、主として再生動作のための頭出し動作が有効であることから、ＰＢ−ＥＮＤとして保持しているトラック番号を再生される現在位置のトラック番号とを比較して、テープ位置をＰＢ−ＥＮＤの位置へＦＦで移動するための動作を実行する。その後、ＴＮ−２の位置でｓｔｏｐモードとなる。
【００２０】
図５は、現在位置ＴＮ−３が記録済みエリア内でかつ未再生エリアにある場合のカメラモードとＶＴＲのモードとにおける頭出し動作を示したものである。この場合は、カメラモードでは、ＲＥＣ−ＥＮＤ位置ＴＮ−１まで進みＶＴＲモードではＰＢ−ＥＮＤ位置ＴＮ−２までもどる動作となる。
尚、上記の頭出し動作は、説明上モードスイッチ１６の選択に応じて直接頭出し動作を実行したが、実際の機能としては、テープ位置が未記録エリアや未再生エリアにあることを表示してユーザの操作により頭出しの実行を指示するようにするのが便利である。
【００２１】
図６は前述の各モードにおけるシステムコントローラ１２の制御処理を示したフローチャートである。カメラモードでは、ＲＥＣ−ＥＮＤ位置の頭出し後、記録終了時にＲＥＣ−ＥＮＤデータが更新される。またＶＴＲモードでは、ＰＢ−ＥＮＤ位置の頭出し後、再生終了時にＰＢ−ＥＮＤ位置のデータが更新される。
【００２２】
即ち、ステップＳ１でパワーＯＮとなりパワーＯＦＦモードが解除されると、ステップＳ２でカメラモードか否かが判断される。カメラモードであればステップＳ３でテープが未記録エリアにあることが表示された後、ステップＳ４でつなぎ記録を行うためにつなぎポイントの頭出しを行うか否かが判断される。つなぎ記録のポイントの頭出しを行わない場合はステップＳ６に進む。頭出しを行う場合は、ステップＳ５で保持されているＲＥＣ−ＥＮＤのトラック番号を検索し、その位置ＴＮ−１へ移動して停止し、スタンバイ状態となる。
【００２３】
ステップＳ６で記録開始が指示されると、記録動作が実行され、ステップＳ７で記録終了が指示されるまで記録が行われる。記録が終了するとステップＳ８でその記録終了点ＴＮ−５を検出し、ステップＳ９でそのトラック番号を新たなＲＥＣ−ＥＮＤとして保持する。
【００２４】
上記ステップＳ２でカメラモードではないと判定された場合は、ステップＳ１０でテープが未再生エリアにあることを表示した後、ステップＳ１１で未再生ポイントの頭出しを行うか否かが判定される。頭出しを行わない場合は、ステップＳ１３に進む。頭出しを行う場合は、ステップＳ１２で保持されているＰＢ−ＥＮＤのトラック番号を検索し、その位置で停止してスタンバイ状態となる。
【００２５】
そしてステップＳ１３で再生開始が指示されると再生動作が実行され、ステップＳ１４で再生終了が指示されるまで続けられる。そしてステップＳ１５で再生終了時の位置ＴＮ−２のトラック番号を検出し、それをステップＳ１６でＰＢ−ＥＮＤのトラック番号として保持する。
【００２６】
図７はカメラモードにおいて、未再生エリアからＲＥＣ−ＥＮＤ位置ＴＮ−１を越えた位置ＴＮ−５から記録が行われた場合、その後、ＴＮ−５の頭出しを行う動作を示したものである。ＲＥＣ−ＥＮＤ位置がＴＮ−１からＴＮ−５に更新された点が図５と異る点である。
【００２７】
図８〜図１０は図４の記録／再生動作後のテープに対してさらに再生済みエリアの記録又はＲＥＣ−ＥＮＤ位置を越えて再生した場合のその後の頭出し動作を示したものである。次にこれらの状態をテープについて各々の頭出し動作を説明する。
図８は、ＰＢ−ＥＮＤ位置より前のトラックを記録した場合の頭出し動作を示す。記録の始点のトラック番号（ＴＮ−４）がＰＢ−ＥＮＤデータとして保持され、記録終点のトラック番号（ＴＮ−５）がＲＥＣ−ＥＮＤデータとなる。これによって常に未再生エリアの再生が可能となる。
【００２８】
図９はＲＥＣ−ＥＮＤ位置を越えて後まで再生を行った場合の、その後の頭出し動作を示したものである。
この場合は、再生終了点（ＴＮ−５）はＰＢ−ＥＮＤにはならず、ＲＥＣ−ＥＮＤ位置のトラック番号がＰＢ−ＥＮＤのトラック番号にもコピーされる。これによって、ＲＥＣ−ＥＮＤ位置より後にＰＢ−ＥＮＤ位置が設定されることがない。
【００２９】
図１０は図８、図９の場合に対応するシステムコントローラ１２の動作フローを示したものである。このフローチャートに従って記録又は再生モードの終点データとしてＲＥＣ−ＥＮＤ、ＰＢ−ＥＮＤを得ることによって、カメラモード、ＶＴＲモードの各々に対応した便利な自動頭出し動作が実現可能となる。また、カセットエジェクト又はパワーＯＦＦ時にはＲＥＣ−ＥＮＤ、ＰＢ−ＥＮＤの各データはＭＩＣ１１へ転送され保持される。そしてパワーＯＮ又はカセットローディング時にＭＩＣ１１から読み出される。
【００３０】
図１０において、ステップＳ１〜Ｓ６は図６と同様に行われ、ステップＳ６とＳ７との間にステップＳ１７〜１９が追加される。また、ステップＳ１６の次にステップＳ２０、Ｓ２１が追加される。
ステップＳ１７では記録開始点ＴＮ−４のトラック番号を保持し、ステップＳ１８でＰＢ−ＥＮＤがＴＮ−４より大きいか否かが判定される。大きくない場合はステップＳ７へ進み、大きい場合はステップＳ１９でＴＮ−４をＰＢ−ＥＮＤとして保持した後、ステップＳ７へ進む。
【００３１】
ステップＳ２０ではＲＥＣ−ＥＮＤがＴＮ−２より大きいか否かを判定し、大きくない場合は処理を終り、大きい場合はステップＳ２１でＲＥＣ−ＥＮＤをＰＢ−ＥＮＤとして保持した後、終了とする。
【００３２】
上述したように本実施の形態においては、テープの始点から終点に向って順に増加するトラック番号を発生し、これを画像情報に付加する副情報として各トラックに記録し、またテープと半導体メモリとを一体化したメモリ（ＭＩＣ）付カセットに対して、画像と上記トラック番号等の副情報とをテープに記録し、さらにトラック番号情報とその意味を示す情報とを関連づけてＭＩＣに書き込み、ＭＩＣから読み出した情報に基づいて、最後に記録したエリアの最終トラック番号（ＲＥＣ−ＥＮＤ）と最後に再生したエリアの最終トラック番号（ＰＢ−ＥＮＤ）に基づいてそのトラック位置の近傍に自動的に頭出しするようにしている。
【００３３】
また、カメラ一体型ＶＴＲのモード操作としてカメラの撮影した画像の記録を主に行うカメラモードと、再生動作を主に行うＶＴＲモードと、パワーＯＦＦモードとの３モードを選択後、各モードにおける個別の操作を行う操作方法が一般的であるが、前述した記録位置の頭出しと再生位置の頭出しとを上記カメラモードとＶＴＲモードに対応して自動的にモード選択した後、各頭出し動作が行われるように構成すればより効果的である。
【００３４】
さらに上記ＰＢ−ＥＮＤは、その後より小さなトラック番号のエリアを記録する動作が行われた場合、記録開始トラック番号をＰＢ−ＥＮＤとして保持する動作や、ＲＥＣ−ＥＮＤデータの保持後、そのトラック番号より後のエリアを再生された場合、ＲＥＣ−ＥＮＤデータがＰＢ−ＥＮＤとして保持する動作を含めることにより、さらに使い勝手のよい頭出しを行うことができる。
【００３５】
【発明の効果】
以上説明したように、本発明によれば、記録や再生を行なう際、頭出しのための操作を再生画像をモニタしながら細かく行う手間が不要となり、記録と再生にそれぞれ最適の頭出し動作を自動的に実行することができる。
【図面の簡単な説明】
【図１】本発明によるカメラ一体型ＶＴＲの実施の形態を示すブロック図である。
【図２】テープとメモリ（ＭＩＣ）の入ったカセットの構成図である。
【図３】モードスイッチ、カメラ操作スイッチ、ＶＴＲ操作スイッチの構成図である。
【図４】頭出し動作を説明するシーケンスチャートである。
【図５】頭出し動作を説明するシーケンスチャートである。
【図６】頭出し動作を示すフローチャートである。
【図７】頭出し動作を説明するシーケンスチャートである。
【図８】頭出し動作を説明するシーケンスチャートである。
【図９】頭出し動作を説明するシーケンスチャートである。
【図１０】頭出し動作を示すフローチャートである。
【符号の説明】
６  レコーダ処理部
７  スイッチ
８  ヘッド
９  テープ
１０  ＭＩＣデータ処理部
１１  ＭＩＣ
１２  システムコントローラ
１３  トラック番号生成比較部
１５  カメラ操作スイッチ
１６  モードスイッチ
１７  ＶＴＲ操作スイッチ
【図１】
0003728005.tif 000002
【図２】
0003728005.tif 000003
【図３】
0003728005.tif 000004
【図４】
0003728005.tif 000005
【図５】
0003728005.tif 000006
【図６】
0003728005.tif 000007
【図７】
0003728005.tif 000008
【図８】
0003728005.tif 000009
【図９】
0003728005.tif 000010
【図１０】
0003728005.tif 000011